【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
画像形成装置の制御情報を管理するサーバーとネットワークを介して通信可能な画像形成装置において、
無線通信手段を有するシートを収納するシート収納手段と、
前記無線通信手段からの情報を受信する受信手段と、
前記受信手段によって受信された情報に基づき、ネットワークを介して前記サーバーより前記制御情報を入手する通信手段と、
前記通信手段によって入手された前記制御情報に基づいて画像形成条件を制御する制御手段と、
を有すること特徴とする画像形成装置。
【請求項２】
前記無線通信手段は、ＩＣチップ、ＩＣタグ、ＲＦ−ＩＤタグ、またはＲＦ−タグである事を特徴とする請求項１記載の画像形成装置。
【請求項３】
前記無線通信手段からの情報は、ＩＰアドレスである事を特徴とする請求項１記載の画像形成装置。
【請求項４】
前記制御情報は、定着温度制御情報、プロセススピード情報、転写高圧出力情報のいずれか、もしくは複数である事を特徴とする請求項１記載の画像形成装置。
【請求項５】
前記制御情報を記憶する記憶手段を有する事を特徴とする請求項１記載の画像形成装置。
【請求項６】
前記記憶手段は、前記無線通信手段から入手した情報を記憶する事を特徴とする請求項５記載の画像形成装置。
【請求項７】
前記記憶手段は、前記サーバーから入手した前記制御情報を記憶する事を特徴とする請求項５記載の画像形成装置。
【請求項８】
前記記憶手段は、前記無線通信手段から入手した情報と、前記サーバーから入手した前記制御情報とを関連付けて記憶する事を特徴とする請求項５記載の画像形成装置。
【請求項９】
前記制御手段は、前記無線通信手段から入手した情報と既に前記記憶手段に記憶している情報とを比較し、前記無線通信手段から入手した情報と同一情報を記憶している場合、前記サーバーから前記制御情報を入手せず、前記記憶手段が記憶している情報と関連付けられた前記制御情報に応じて画像形成条件を制御する事を特徴とする請求項８記載の画像形成装置。
【請求項１０】
前記シート収納手段を複数有する事を特徴とする請求項１記載の画像形成装置。
【請求項１１】
複数の前記シート収納手段のそれぞれに対応する、複数の前記受信手段を有する事を特徴とする請求項１０記載の画像形成装置。
【請求項１２】
複数の前記シート収納手段のそれぞれからのシート搬送路の合流地点よりもシート搬送方向下流側に、前記シート収納手段の数よりも少ない数の前記受信手段を有する事を特徴とする請求項１０記載の画像形成装置。
【請求項１３】
前記受信手段は、装置本体の電源オン時に前記無線通信手段からの情報を受信し、
前記通信手段は、前記受信手段により入手された情報に基づき、ネットワークを介して前記サーバーより前記制御情報を入手し、
前記制御手段は、前記通信手段により入手された前記制御情報に応じて画像形成条件を制御する事を特徴とする請求項１記載の画像形成装置。
【請求項１４】
前記受信手段は、前記シート収納手段が閉じられた事に応じて、前記無線通信手段からの情報を受信し、
前記通信手段は、前記受信手段により入手された情報に基づき、ネットワークを介して前記サーバーより前記制御情報を入手し、
前記制御手段は、前記通信手段により入手された前記制御情報に応じて画像形成条件を制御する事を特徴とする請求項１記載の画像形成装置。
【請求項１５】
前記受信手段は、画像形成中に、前記シート収納手段から給紙されたシートに内蔵された前記無線通信手段からの情報を受信する事を特徴とする請求項１記載の画像形成装置。
【請求項１６】
前記通信手段は、前記受信手段により受信された前記無線通信手段からの情報が、１つ前に受信した前記無線通信手段からの情報と異なる場合は、ネットワークを介して前記サーバーより前記制御情報を入手する事を特徴とする請求項１５記載の画像形成装置。
【請求項１７】
ネットワークに接続可能な画像形成装置と、前記画像形成装置の制御情報を管理するサーバーから構成される画像形成システムにおいて、
前記画像形成装置に設けられ、無線通信手段を内蔵したシートを収納するシート収納手段と、
前記画像形成装置に設けられ、前記無線通信手段からの情報を受信する受信手段と、
前記画像形成装置に設けられ、前記受信手段によって受信された情報に基づき、ネットワークを介して前記画像形成装置の機種情報を前記サーバーに送信する機種情報送信手段と、
前記サーバーに設けられ、前記機種情報送信手段により送信された前記機種情報に応じて、前記制御情報を前記画像形成装置に送信する制御情報送信手段と、
前記画像形成装置に設けられ、前記制御情報送信手段により送信された前記制御情報に基づいて画像形成条件を制御する制御手段と、
を有する事を特徴とする画像形成システム。
【請求項１８】
画像形成装置の制御情報を管理するサーバーとネットワークを介して通信可能な画像形成装置を制御するプログラムであって、
前記画像形成装置のシート収納手段に収納されたシートに内蔵された無線通信手段からの情報を受信する受信手順と、
前記受信手順によって受信された情報に基づき、ネットワークを介して前記サーバーより前記制御情報を入手する通信手順と、
前記通信手順によって入手された前記制御情報に基づいて画像形成条件を制御する制御手順と、
を前記画像形成装置に実行させること特徴とするプログラム。
【手続補正２】
【補正対象書類名】明細書
【補正対象項目名】００１３
【補正方法】変更
【補正の内容】
【００１３】
上記目的を達成するため、本発明は、無線通信手段を内蔵したシートを収納するシート収納手段を有し、前記無線通信手段からの情報を受信するための受信手段を内蔵したネットワークに接続可能な画像形成装置と、前記画像形成装置の制御情報を管理するネットワークに接続されたサーバーとで構成された画像形成システムにおいて、前記画像形成装置は、前記シート収納手段に収納されたシートに内蔵された前記無線通信手段からの情報に基づき、ネットワークを介して前記サーバーより前記制御情報を入手し、入手した前記制御情報を元に画像形成条件を制御する事を特徴とする。
【手続補正３】
【補正対象書類名】明細書
【補正対象項目名】００１４
【補正方法】変更
【補正の内容】
【００１４】
また、本発明は、ネットワークに接続可能な画像形成装置と、前記画像形成装置の制御情報を管理するサーバーから構成される画像形成システムにおいて、前記画像形成装置に設けられ、無線通信手段を内蔵したシートを収納するシート収納手段と、前記画像形成装置に設けられ、前記無線通信手段からの情報を受信する受信手段と、前記画像形成装置に設けられ、前記受信手段によって受信された情報に基づき、ネットワークを介して前記画像形成装置の機種情報を前記サーバーに送信する機種情報送信手段と、前記サーバーに設けられ、前記機種情報送信手段により送信された前記機種情報に応じて、前記制御情報を前記画像形成装置に送信する制御情報送信手段と、前記画像形成装置に設けられ、前記制御情報送信手段により送信された前記制御情報に基づいて画像形成条件を制御する制御手段と、を有する事を特徴とする。
【手続補正４】
【補正対象書類名】明細書
【補正対象項目名】００１５
【補正方法】変更
【補正の内容】
【００１５】
また、本発明は、画像形成装置の制御情報を管理するサーバーとネットワークを介して通信可能な画像形成装置を制御するプログラムであって、前記画像形成装置のシート収納手段に収納されたシートに内蔵された無線通信手段からの情報を受信する受信手順と、前記受信手順によって受信された情報に基づき、ネットワークを介して前記サーバーより前記制御情報を入手する通信手順と、前記通信手順によって入手された前記制御情報に基づいて画像形成条件を制御する制御手順と、を前記画像形成装置に実行させること特徴とする。
【手続補正５】
【補正対象書類名】明細書
【補正対象項目名】００３２
【補正方法】変更
【補正の内容】
【００３２】
図２はシートカセット２３に搭載されたシート２８の様子を示している。一様に重ねられたｎ枚のシート２８−１〜２８−ｎにはそれぞれ１枚毎に無線通信手段としての小型の非接触無線認識装置（例えばＩＣチップ、ＩＣタグ、ＲＦ−ＩＤタグ、ＲＦ−タグ等）２９−１〜２９−ｎが実装されている。そして、一つ一つの非接触無線認識装置２９には、予めこのシート２８を用いて画像形成を行う際に、最適な画像形成を行う為の制御情報が記憶されているアドレス（ＩＰｖ６アドレス）が記憶されている。